(57)【特許請求の範囲】
【請求項１】
テレビジョン信号のカラーバースト信号の周波数に基づいてＰＡＬ方式の信号とＳＥＣＡＭ方式の信号とを判別する判別回路において、
テレビジョン信号からカラーバースト信号を抽出するバースト抽出回路と、
前記カラーバースト信号の周波数に近い周波数の信号を発振し、入力される制御電圧に応じて発振する信号の周波数と位相とを変化させる電圧制御発振器と、
前記バースト抽出回路によって抽出されたカラーバースト信号と前記電圧制御発振器が発振する信号の位相差を検出し、検出した位相差に基づいて前記電圧制御発振器に与える制御電圧を生成して出力する位相比較器と、
前記位相比較器から出力された制御電圧をサンプリングパルスによってサンプリングし、かつ保持するサンプルホールド回路と、
前記サンプルホールド回路から出力される電圧を平滑する平滑回路と、
前記平滑回路によって平滑された電圧と所定の基準電圧とを比較して、ＰＡＬ／ＳＥＣＡＭ判別信号を出力する比較器と、
前記バースト抽出回路にバーストゲートパルスを与え、前記サンプルホールド回路に前記サンプリングパルスを与えるタイミング回路と、
を備えることを特徴とする判別回路。
【請求項２】
請求項１に記載のＰＡＬ／ＳＥＣＡＭ信号判別回路を備えることを特徴とするテレビジョン信号受信装置。
【発明の詳細な説明】
【０００１】
【発明の属する技術分野】
本発明はテレビジョン受像機やビデオテープレコーダ等のテレビジョン信号受信装置に関するものであり、より詳しくは、ＰＡＬ方式の信号とＳＥＣＡＭ方式の信号を判別するテレビジョン信号受信装置およびその判別回路に関するものである。
【０００２】
【従来の技術】
カラーテレビジョン信号の伝送方式として、ＰＡＬ方式とＳＥＣＡＭ方式がある。これらは主として欧州で採用されており、両方式の放送電波を受信することが可能な地域がある。このような地域では、受信装置でＰＡＬ方式による信号であるかＳＥＣＡＭ方式による信号であるかを判別し、判別結果に応じて色信号の処理を行う。
【０００３】
ＰＡＬ／ＳＥＣＡＭ信号の判別は、水平帰線消去期間のバックポーチに挿入されたカラーバースト信号に、両方式で差があることを利用してなされる。ＰＡＬ方式においては、カラーバースト信号の周波数は４．４３ＭＨｚに定められており一定である。ＳＥＣＡＭ方式においては、４．２５ＭＨｚと４．４１ＭＨｚの周波数のカラーバースト信号が、１ラインごとに交互に現れる。
【０００４】
図４に従来の判別回路の構成を示し、図中のａ、ｂ、ｃ、ｄの各点における信号を模式的に図５の（ａ）、（ｂ）、（ｃ）、（ｄ）にそれぞれ示す。図４において、５１は増幅器、５２は４．５ＭＨｚのセラミックフィルタ、５３は外付けのコンデンサＣとコイルＬを有するｆＨ／２同調回路、５４は検波回路、５５は比較器である。増幅器５１にはバックポーチから抽出されたカラーバースト信号が入力される。このカラーバースト信号は、前述のように、ＰＡＬ方式とＳＥＣＡＭ方式で周波数が異なっている。
【０００５】
図５（ａ）に示すカラーバースト信号は、増幅器５１によって増幅されてセラミックフィルタ５２に与えられる。４．５ＭＨｚのセラミックフィルタ５２でフィルタ処理されるとカラーバースト信号は、図５（ｂ）のように、４．４３ＭＨｚのＰＡＬ信号に比べ、ＳＥＣＡＭ信号では減弱する。４．４１ＭＨｚ信号はＰＡＬ信号よりも僅かに減弱するのみであるが、４．２５ＭＨｚ信号の減弱は著しい。この信号をｆＨ／２同調回路５３で処理した出力は（ｃ）のようになり、振幅はＰＡＬ信号では小さく、ＳＥＣＡＭ信号では大きくなる。したがって、これらの信号を整流検波する検波回路５４の出力電圧は、（ｄ）のように、ＰＡＬ信号で低くＳＥＣＡＭ信号で高くなる。比較器５５には検波回路５４のＰＡＬ信号とＳＥＣＡＭ信号の出力電圧の中間の基準電圧が与えられており、ＰＡＬ信号時にはＬレベル、ＳＥＣＡＭ信号時にはＨレベルが出力される。この比較器５５の出力レベルによりＰＡＬ／ＳＥＣＡＭ信号が判別される。
【０００６】
【発明が解決しようとする課題】
ところが、上記の判別回路では、セラミックフィルター５２およびｆＨ／２回路３のコンデンサＣとコイルＬという外付け素子を必要としている。このため、製造工程において実装処理が煩雑になる。また、温度変化や素子ごとのばらつきによりセラミックフィルター、コンデンサ、コイルに性能の差が生じ易く、判別能力が安定しないという問題がある。
【０００７】
本発明は、温度特性に優れ安定した判別能力を有するＰＡＬ／ＳＥＣＡＭ信号判別回路、およびこれを用いたテレビジョン信号受信装置を提供することを目的とする。
【０００８】
【課題を解決するための手段】
上記目的を達成するために、本発明では、カラーバースト信号の周波数に基づいてＰＡＬ方式の信号とＳＥＣＡＭ方式の信号とを判別する判別回路において、カラーバースト信号と発振器の発振信号を位相比較し、その比較出力によって発振器を制御するＰＬＬを設け、比較出力によってＰＡＬ方式の信号とＳＥＣＡＭ方式の信号とを判別する。
【０００９】
前記比較出力は発振器の発振信号をカラーバースト信号に合致させるものであるから、周波数に差のあるＰＡＬ方式信号とＳＥＣＡＭ方式信号とでは比較出力の大きさに差が生じる。したがって、ＰＡＬ／ＳＥＣＡＭのいずれの方式の信号であるかを判別することができる。
【００１０】
具体的には、判別回路に、テレビジョン信号からカラーバースト信号を抽出するバースト抽出回路と、カラーバースト信号の周波数に近い周波数の信号を発振し、入力される制御電圧に応じて発振する信号の周波数と位相とを変化させる電圧制御発振器と、バースト抽出回路によって抽出されたカラーバースト信号と電圧制御発振器が発振する信号の位相差を検出し、検出した位相差に基づいて電圧制御発振器に与える制御電圧を生成して出力する位相比較器と、位相比較器から出力された制御電圧をサンプリングパルスによってサンプリングしかつ保持するサンプルホールド回路と、サンプルホールド回路から出力される電圧を平滑する平滑回路と、平滑回路によって平滑された電圧と所定の基準電圧とを比較してＰＡＬ／ＳＥＣＡＭ判別信号を出力する比較器と、バースト抽出回路にバーストゲートパルスを与え、サンプルホールド回路にサンプリングパルスを与えるタイミング回路とを備える構成とする。
【００１１】
この構成では、電圧制御発振器と位相比較器とによってＰＬＬが形成され、位相比較器が生成する制御電圧は、カラーバースト信号がＰＡＬ方式であるかＳＥＣＡＭ方式であるかによって変わる。ＰＡＬ方式のカラーバースト信号は単一周波数であるため、サンプルホールドされた制御電圧は略一定となり、ＳＥＣＡＭ方式ではカラーバースト信号は相異なる周波数が交互に現れるため、サンプルホールドされた制御電圧はカラーバースト信号ごとに変動する。これらの電圧は平滑回路で平滑されて異なる値となり、比較器において基準電圧と比較することによってＰＡＬ／ＳＥＣＡＭの信号を識別することができる。例えば、比較器の基準電圧を、ＰＡＬ方式とＳＥＣＡＭ方式の平滑された制御電圧の中間に設定し、比較器が比較結果に応じてＨレベルまたはＬレベルの信号を出力すると、その出力レベルによってＰＡＬ／ＳＥＣＡＭ信号が判別される。なお、タイミング回路はバーストゲートパルスとサンプリングパルスを、水平同期信号に基づいて発生する。サンプリングパルスの出力時期は、電圧制御発振器の性能に応じて設定する。
【００１２】
上記構成のＰＡＬ／ＳＥＣＡＭ信号判別回路を、例えばテレビ受像機やビデオテープレコーダ等の、テレビジョン信号受信装置に備える。
【００１３】
【発明の実施の形態】
本発明のＰＡＬ／ＳＥＣＡＭ信号判別回路の構成を図１に示す。ＰＡＬ／ＳＥＣＡＭ信号判別回路１は、ゲート回路１１、リミッタ増幅回路１２、電圧制御発振器１３、位相比較器１４、サンプルホールド回路１５、平滑回路１６、比較器１７およびタイミング生成回路５より成る。タイミング生成回路５は、図外のＩＦ復調回路より入力される映像信号から水平・垂直の同期信号を分離するとともに、水平同期信号に基づいて、ゲート回路１１に与えるバーストゲートパルスとサンプルホールド回路１５に与えるサンプリングパルスを生成する。
【００１４】
ゲート回路１１は、バーストゲートパルスに基づいて、ＩＦ復調回路より入力される映像信号からカラーバースト信号を抽出する。カラーバースト信号の周波数は、ＰＡＬ方式の映像信号のときには４．４３ＭＨｚであり、ＳＥＣＡＭ方式の映像信号のときには４．２５ＭＨｚと４．４１ＭＨｚである。リミッタ増幅回路１２は、ゲート回路１１によって抽出されたカラーバースト信号を増幅し、かつ振幅を揃えて位相比較器１４に与える。
【００１５】
位相比較器１４はカラーバースト信号と電圧制御発振器１３の発振信号の位相比較を行い、電圧制御発振器１３の発振信号の周波数と位相をカラーバースト信号の周波数と位相に一致させるように制御電圧を出力して、電圧制御発振器１３に与える。電圧制御発振器１３と位相比較器１４によってＰＬＬが形成される。位相ロック時の制御電圧はカラーバースト信号の周波数に相関し、周波数が高いほど制御電圧は高くなる。
【００１６】
サンプルホールド回路１５は、タイミング生成回路５からのサンプリングパルスを受けたときに、位相比較器１４から出力される制御電圧をサンプリングして保持する。タイミング生成回路５は、ＰＬＬが位相ロックしたときにサンプリングパルスを発生するように、あらかじめＰＬＬの性能を考慮してサンプリングパルス発生時期を設定されている。平滑回路１６はサンプルホールド回路１５の出力電圧を平滑して比較器１７に与える。
【００１７】
比較器１７には所定の基準電圧が与えられており、平滑回路１６から入力された電圧が基準電圧よりも高いときにＨレベルの信号を、低いときにＬレベルの信号を出力する。
【００１８】
図１のＡ〜Ｆの各点における信号の波形を、ＰＡＬ信号とＳＥＣＡＭ信号のそれぞれについて、図２の（Ａ）〜（Ｆ）に示す。図２の信号において斜線を付した部分はカラーバースト信号である。ゲート回路１１には、（Ｂ）に示したバーストゲートパルスが与えられて、（Ａ）の映像信号から（Ｃ）のようにカラーバースト信号が抽出される。カラーバースト信号は判別能力を高めるためにリミッタ増幅回路１２によって増幅される。
【００１９】
（Ｄ）は位相比較器１４から出力されるＰＬＬ制御電圧を示している。ＰＡＬ信号においては、この制御電圧は略同一波形になり、（Ｅ）に示すサンプルホールド回路１５の出力電圧は略一定になる。（Ｆ）に示す平滑回路１６の出力電圧も一定である。
【００２０】
一方、ＳＥＣＡＭ信号では、異なる周波数のカラーバースト信号が交互に現れるため、ＰＬＬ制御電圧にも高低が交互に現れる。４．４１ＭＨｚのカラーバースト信号に対するＰＬＬ制御電圧は、４．４３ＭＨｚのＰＡＬカラーバースト信号に対する制御電圧よりも僅かに低く、４．２５ＭＨｚの信号に対する制御電圧は大幅に低下する。したがって、ＳＥＣＡＭ信号においては、サンプルホールド回路１５の出力は、２ラインを１周期とする矩形波となり、平滑回路１７によって平滑された電圧は、ＰＡＬ信号の場合に比べて低くなる。
【００２１】
比較器１７に与えられる基準電圧は、ＰＡＬ信号における平滑後の電圧とＳＥＣＡＭ信号における平滑後の電圧の中間に設定されている。したがって、比較器１７の出力は、ＰＡＬ信号を受信しているときにＨレベル、ＳＥＣＡＭ信号を受信しているときにＬレベルとなり、ＰＡＬ／ＳＥＣＡＭ信号の判別がなされる。
【００２２】
上記構成のＰＡＬ／ＳＥＣＡＭ信号判別回路１では、図４に示した従来の判別回路と異なり、セラミックフィルターやコイル等の外付け素子を必要としない。また、ＰＬＬは温度変化の影響を受け難いため、優れた温度特性が得られ、判別能力が安定する。
【００２３】
上記のＰＡＬ／ＳＥＣＡＭ信号判別回路１を備えたテレビジョン受像器の構成を図３に示す。図において、２はアンテナＡＮＴで受信したテレビジョン信号の中から所望の受信チャンネルの信号を取り出し、中間周波信号に変換するチューナである。３は中間周波信号を増幅するとともに、映像信号と音声信号とに分離するＩＦ復調回路である。４は音声処理回路であって、ＩＦ復調回路３から入力される音声信号を処理してスピーカー２２を駆動する。
【００２４】
５は前述のタイミング生成回路である。ここでは、ＰＡＬ／ＳＥＣＡＭ信号判別回路１から独立した形態としている。タイミング生成回路５は、ＩＦ復調回路３より映像信号を入力されて、映像信号から水平・垂直の同期信号を分離する。また、水平同期信号に基づいて判別回路１に与えるバーストゲートパルスとサンプリングパルスおよび他の回路に与える他のタイミング信号を生成する。
【００２５】
６はＰＡＬクロマ処理回路であり、ＰＡＬ方式に従って映像信号の色復調を行う。７はＳＥＣＡＭクロマ処理回路であり、ＳＥＣＡＭ方式に従って映像信号の色復調を行う。これらのクロマ処理回路６、７はともに、受信した映像信号の方式に関わらず常時動作し、色信号を出力する。映像信号がＰＡＬ方式であるときには、ＰＡＬクロマ処理回路６の出力が正しい色信号となり、映像信号がＳＥＣＡＭ方式であるときには、ＳＥＣＡＭクロマ処理回路７の出力が正しい色信号となる。
【００２６】
８は映像信号から輝度信号を抽出する輝度信号処理回路である。クロマ処理回路６、７および輝度信号処理回路８の動作は、タイミング生成回路５から与えられるタイミング信号によって制御される。９は偏向回路であり、タイミング生成回路５から与えられる水平同期信号と垂直同期信号に基づいてのこぎり波を発生して、ＣＲＴ２１の水平・垂直偏向コイルに出力する。
【００２７】
１０はマトリックス回路であって、輝度信号処理回路８からの輝度信号とＰＡＬクロマ処理回路６またはＳＥＣＡＭクロマ処理回路７からの色信号によってＲ、Ｇ、Ｂ信号を生成し、ＣＲＴ２１に出力する。マトリックス回路１０に与えられる色信号は、スイッチ回路２３によってＰＡＬクロマ処理回路６の出力とＳＥＣＡＭクロマ処理回路７の出力間で切り換えられる。
【００２８】
この切り換えは、ＰＡＬ／ＳＥＣＡＭ信号判別回路１の比較器１７の出力信号に基づいて行われる。スイッチ回路２３は、比較器１７から与えられる信号がＨレベルのときはＰＡＬクロマ処理回路６の出力信号をマトリックス回路１０に与え、比較器１７から入力される信号がＬレベルのときはＳＥＣＡＭクロマ処理回路７の出力信号をマトリックス回路１０に与える。こうして、受信したテレビジョン信号の方式に応じて適切な色信号が選択されて、常に、正しく色復元されたカラー映像がＣＲＴ２１に表示される。
【００２９】
なお、ここではテレビジョン受像機について説明したが、本発明のＰＡＬ／ＳＥＣＡＭ信号判別回路１はビデオテープレコーダにも適用することが可能である。
【００３０】
【発明の効果】
本発明の判別回路によるときは、ＰＬＬの制御電圧によってＰＡＬ／ＳＥＣＡＭ信号を判別するため、回路構成が簡素になる。また、素子に性能のばらつきが生じ易く温度変化の影響を受け易いセラミックフィルタやコイルとコンデンサを備えた同調回路を用いる必要がないため、温度特性が向上して安定性が高まり、確実なＰＡＬ／ＳＥＣＡＭ信号の判別を行うことができる。
【００３１】
また、この判別回路を備えたテレビジョン信号受信装置では、ＰＡＬ方式またはＳＥＣＡＭ方式によるテレビジョン信号を受信したときに、いずれの方式の信号を受信しているかを自動的に判別することが可能である。
【図面の簡単な説明】
【図１】本発明によるＰＡＬ／ＳＥＣＡＭ信号判別回路の実施形態を示す構成図。
【図２】本発明によるＰＡＬ／ＳＥＣＡＭ信号判別回路の要部の信号を示す図。
【図３】本発明のＰＡＬ／ＳＥＣＡＭ信号判別回路を備えたテレビジョン受像機の実施形態を示す構成図。
【図４】従来のＰＡＬ／ＳＥＣＡＭ信号判別回路の構成を示す図。
【図５】従来のＰＡＬ／ＳＥＣＡＭ信号判別回路における信号を示す図。
【符号の説明】
１    ＰＡＬ／ＳＥＣＡＭ信号判別回路
２    チューナ
３    ＩＦ復調回路
４    音声処理回路
５    タイミング生成回路
６    ＰＡＬクロマ処理回路
７    ＳＥＣＡＭクロマ処理回路
８    輝度信号処理回路
９    偏向回路
１０    マトリックス回路
１１    ゲート回路
１２    リミッタ増幅回路
１３    電圧制御発振器
１４    位相比較器
１５    サンプルホールド回路
１６    平滑回路
１７    比較器
２１    ＣＲＴ
２２    スピーカー
２３    スイッチ回路
【図１】
0003599253.tif 000002
【図２】
0003599253.tif 000003
【図３】
0003599253.tif 000004
【図４】
0003599253.tif 000005
【図５】
0003599253.tif 000006